(57)【特許請求の範囲】
【請求項１】
天井（Ｃ）に下向きに設置されたアンカーボルト（Ａ）の下部の天井パネル（Ｐ）に設けられた照明手段設置空間（Ｓ）に位置し、照明を発する照明手段（１００）と、
前記照明手段（１００）の上面枠部に締結部材（Ｂ）を介して分解結合可能に設置される支持ブラケット（２００）と、
前記アンカーボルト（Ａ）に高さ調節可能に嵌められる高低調節具（３２０）、前記高低調節具（３２０）を前記アンカーボルト（Ａ）から離脱しないように結合させる固定部材（３３０）、及び前記高低調節具（３２０）の一側に設置される連結ブラケット（３１０）からなる高さ調節手段（３００）と、
前記支持ブラケット（２００）と連結ブラケット（３１０）に両端部がそれぞれ連結され、前記照明手段（１００）が前記照明手段設置空間（Ｓ）に緊密に結合されるように誘導する弾性部材（４００）とを含んでなることを特徴とする、天井用照明装置の設置構造。
【請求項２】
前記高低調節具（３２０）の外面一側には上部が固定され、下端部が前記高低調節具（３２０）の下端よりも下側に位置する弾性部（３４１）と、前記弾性部（３４１）の末端部から、前記高低調節具（３２０）の下部に露出した前記アンカーボルト（Ａ）側に折り曲げられる折曲部（３４２）と、前記アンカーボルト（Ａ）の螺旋部（Ａ１、Ａ２）に接触して固定支持されように前記折曲部（３４２）の末端に設けられた接触部（３４３）とからなり、前記アンカーボルト（Ａ）側に弾性力を発揮する弾性片（３４０）がさらに設置されることを特徴とする、請求項１に記載の天井用照明装置の設置構造。
【請求項３】
前記高低調節具（３２０）は、円筒状または三角以上の角柱状のうちいずれかの形状を有し、その中心部には前記アンカーボルト（Ａ）の貫通する貫通孔（３２１）が長さ方向に沿って設けられることを特徴とする、請求項１に記載の天井用照明装置の設置構造。
【請求項４】
前記高低調節具（３２０）は、中心部に長さ方向に沿って前記アンカーボルト（Ａ）が貫くように穿設された貫通孔（３２１）の内周面に前記アンカーボルト（Ａ）の螺旋部（Ａ１、Ａ２）と螺合可能に形成された螺旋固定部（３２２）と、一側が長さ方向に沿って切開され、その切開された両端部に互いに対応する大きさで対向位置するように延設され、前記固定部材（３３０）によって結合固定される固定孔（３２４）を有する連結固定部（３２３）と、前記連結固定部（３２３）にヒンジ軸（３２６）を中心に弾性支持され回動可能に結合された一側が設置され、前記連結固定部（３２３）が互いに近づく方向に弾性力を発揮し、その回動可能に結合された他側を加圧するにつれて前記連結固定部（３２３）が互いに遠ざかる弾性拡張部（３２５）と、を含んで構成されることを特徴とする、請求項１に記載の天井用照明装置の設置構造。
【請求項５】
前記固定部材（３３０）は、前記高低調節具（３２０）の一側に前記アンカーボルト（Ａ）に向かって螺合され、その螺合された端面が前記アンカーボルト（Ａ）の外面を加圧固定するボルト部（３３１）と、前記ボルト部（３３１）が螺合される反対側の端部に回転力を加えるハンドル部（３３２）とからなり、前記連結ブラケット（３１０）は、前記弾性部材（４００）の一側端部が連結設置されるスプリング連結ホール（３１１）を有し、「Ｌ」字状となることを特徴とする、請求項１に記載の天井用照明装置の設置構造。
【請求項６】
前記支持ブラケット（２００）と前記連結ブラケット（３１０）には、両端がそれぞれ連結固定され、前記照明手段（１００）が前記アンカーボルト（Ａ）に連結設置された状態で前記天井パネル（Ｐ）から離脱して墜落することを防止する離脱防止ワイヤー（５００）が設置されることを特徴とする、請求項１に記載の天井用照明装置の設置構造。
【請求項７】
前記支持ブラケット（２００）は、前記照明手段（１００）の上側に縦方向に設置される側辺支持部（２２０）を中心に下部と上部を一部折り曲げて照明固定部（２１０）とスプリング固定部（２３０）を形成し、前記照明固定部（２１０）には照明固定ホール（２１１）が穿設され、前記スプリング固定部（２３０）にはスプリング固定ホール（２３１）が穿設されることを特徴とする、請求項１に記載の天井用照明装置の設置構造。
【請求項８】
前記支持ブラケット（２００）は、スプリング結合ホール（２４１）を有するスプリング結合部（２４０）と、前記スプリング結合部（２４０）を中心に両側から下方に延設されるコーナー支持部（２５０）とをそれぞれ備え、そのそれぞれのコーナー支持部（２５０）の下部を一部折り曲げて照明結合ホール（２６１）付き照明結合部（２６０）を形成してなることを特徴とする、請求項１に記載の天井用照明装置の設置構造。
【請求項９】
前記支持ブラケット（２００）は、照明設置ホール（２７２）を有する水平部（２７１）から上方に、一つ以上の挿入ホール（２７４）を有する垂直部（２７３）が延設されてなる下部ブラケット（２７０）と、スプリング設置ホール（２８２）を有する密着固定部（２８１）が前記垂直部（２７３）の一面に密着して固定されるように、前記挿入ホール（２７４）に緊密に挿入される挿入突起（２８３）が突設された上部ブラケット（２８０）とを含んでなることを特徴とする、請求項１に記載の天井用照明装置の設置構造。
【発明の詳細な説明】
【技術分野】
【０００１】
本発明は、天井スラブに設置されたアンカーボルトの下側で天井パネルに固定されるように設置され、下方に照明を提供する照明装置の設置構造に係り、より詳しくは、天井スラブに設置されたアンカーボルトの長さまたは傾斜程度に関係なく、照明装置の設置及び分離を迅速かつ簡便に行うことができ、設置済みの状態では照明装置が天井パネルに密着した状態で均一な間隔と方向に設置できるため美感の向上だけでなく、異物の照明装置内への流入を防止することができ、照明装置の設置のための部品の大きさ及び個数を減らして運搬及び保管の利便性の増大と製造コストの削減を図ることができる、天井用照明装置の設置構造に関する。
【背景技術】
【０００２】
一般に、照明装置は、外形をなすメインフレームと、メインフレームに設置される照明モジュールと、照明モジュールに電源を印加してランプが点灯するようにする電源供給装置と、メインフレームの下部をカバーするように設置され、照明モジュールの光が下方にまんべんなく拡散して明るく照らすようにするカバーシートとを含んで構成される。
【０００３】
このような照明装置を設置しようとする天井スラブには所定の間隔でアンカーボルトが設置されており、天井スラブの下側には天井パネルが設置されており、この天井パネルにはアンカーボルトの下側に照明装置を設置するための開口部が設けられることがほとんどである。
【０００４】
このとき、照明装置を設置するために、アンカーボルトに補助ハウジングを嵌めた後、アンカーボルトに結合されるナットを締めたり緩めたりして補助ハウジングの設置高さを調節した後、補助ハウジングに照明装置を設置する方式が主に採用された。補助ハウジングと照明装置との結合は、締まり嵌めによる固定、フックまたは突起状の係止部材による固定、或いはねじくぎなどの締結部材による固定で実現された。
【０００５】
ところが、上述のように補助ハウジングを用いて照明装置を設置しようとする場合は、アンカーボルトの位置及び傾斜程度によって補助ハウジングの設置時間が異なるが、もしアンカーボルトの設置間隔が均一でないときや、アンカーボルトが天井スラブに対して傾いているときには、アンカーボルトに補助ハウジングを嵌めるために基本的に設けられた結合孔の位置が一致しないため、このアンカーボルトの間隔に応じて別の貫通孔を穿孔する作業を必要とすることにより設置時間が増加するうえ、作業の効率性が低下するという問題があった。
【０００６】
また、アンカーボルトの設置位置に合わせて強制的に貫通孔を設けることにより、補助ハウジングが均一な間隔と方向に設置され難く、補助ハウジングが設置される高さはアンカーボルトに結合されるナットによって調節されるため、すべての天井面に均一な高さで設置され難いので、補助ハウジングに結合された照明装置がずれた状態で設置されるか或いは設置高さが不均一になって美感を阻害させる要因として作用した。
【０００７】
これに加えて、照明装置を設置するためには補助ハウジングを備えなければならないので、補助ハウジングの設置のための面積を確保しなければならない制約を受け、一つの照明装置を設置するための部品の体積が大きくなり、運搬及び保管を容易にすることができないのはもちろんのこと、運搬費用が大幅増加するという問題があった。
【０００８】
そこで、従来は、補助ハウジングを介して照明装置を設置しても、照明装置の設置高さを均一に調節することができ、設置及び分離の簡便化を図ることができる技術が提案された。
【０００９】
その一例として、特許文献１には、図１に示すように、照明灯ハウジング１２の下端部に被嵌される照明灯カバー１４それぞれの内壁面の中心から内方に突出した状態でスクリュー１６によって固定されるように設置され、中心部には壁面と平行な方向に貫通孔１８ａが穿設された支持ボス１８と、ワイヤー状または片状をし、両端部が貫通孔１８ａの両側から互いに反対側にずれるように挿入された後、上方に引き出され、外力が作用するとねじれ力によって中心側に集められ、外力が解除されると外方側に拡開するように作用する支持片２０と、支持ボス１８に対応する位置で照明灯ハウジング１２の内壁面から内方に突出するように設けられ、内部が空いている状態で前面と底面が開口し、上面には照明灯カバー１４の着脱動作時に外方側に拡開した支持片２０を中心側に集める役割をする下部支持片挿入孔２４を有する支持段部２２と、支持段部２２に対応する位置に照明灯ハウジング１２の上面縁部において支持片挿入孔２４の長さよりも長い長さで支持段部２２と平行に穿設され、下部支持片挿入孔２４を介して上方に挿入された支持片２０が外方側に拡開するように案内する上部支持片挿入孔２６と、を含んでなる、照明灯カバーの装着装置が提案されている。
【００１０】
ところが、この従来技術は、照明装置を簡便に設置し且つ設置高さを調節することができるものであるが、支持片２０は上、下部支持片挿入孔２４、２６に斜めに触れ合った状態で弾性支持されているだけで、上、下部支持片挿入孔２４、２６に係止されるわけではないので、振動や衝撃によって照明灯カバー１４が下方に弛み易いおそれがあり、照明灯カバー１４が照明灯ハウジング１２から任意に脱去して墜落する問題を防止するために支持片２０の上端には丸く巻かれたリング状部材２０ａが設けられてはいるが、このリング状部材２０ａのみでは照明灯カバー１４の安定的な固定状態を維持し難いという問題があった。
【００１１】
また、照明灯カバー１４の設置高さを調節するために照明灯カバー１４を下方に引く場合、照明灯が設置される面（天井パネル）と照明灯カバー１４との間に離隔空間が発生するしかない構造で出来ているので、このような離隔空間に虫や異物が容易に流入して照明を妨げる要因となり、設置及び分離の容易さが実現されていても、これを掃除するために随時取り外して再設置しなければならない不便さがあった。しかも、補助ハウジングの設置のための面積を確保しなければならず、一つの照明装置を設置するための部品の体積が大きくなって運搬及び保管が容易でないという問題点を解決することもできなかった。
【先行技術文献】
【特許文献】
【００１２】
【特許文献１】韓国公開特許第２０１０−０１３６０２０号公報
【発明の概要】
【発明が解決しようとする課題】
【００１３】
そこで、本発明は、かかる従来の問題点を解決するためのもので、その目的は、天井スラブに設置されたアンカーボルトの長さまたは傾斜程度に関係なく、照明装置の設置及び分離を迅速かつ簡便に行うことができ、設置済みの状態では照明装置が天井パネルに密着した状態で均一な間隔と方向に設置できるため美感の向上だけでなく、異物の照明装置内への流入を防止することができ、照明装置の設置のための部品の大きさ及び個数を減らして運搬及び保管の利便性の増大と製造コストの削減を図ることができる、天井用照明装置の設置構造を提供することにある。
【課題を解決するための手段】
【００１４】
上記の目的を達成するための本発明は、天井Ｃに下向きに設置されたアンカーボルトＡの下部の天井パネルＰに設けられた照明手段設置空間Ｓに位置し、照明を提供する照明手段１００と、前記照明手段１００の上面枠部に締結部材Ｂを介して分解結合可能に設置される支持ブラケット２００、前記アンカーボルトＡに高さ調節可能に嵌められる高低調節具３２０、前記高低調節具３２０の一側に前記アンカーボルトの外面を加圧するように設置され、前記高低調節具３２０を前記アンカーボルトＡに固定させる固定部材３３０、及び前記高低調節具３２０の一側に設置される連結ブラケット３１０からなる高さ調節手段３００と、前記支持ブラケット２００と連結ブラケット３１０に両端部がそれぞれ連結され、前記照明手段１００が前記照明手段設置空間Ｓに緊密に結合されるように誘導する弾性部材４００とを含んでなることが好ましい。
【００１５】
また、前記高低調節具３２０の外面一側には上部が固定され、下端部が前記高低調節具３２０の下端よりも下側に位置する弾性部３４１と、前記弾性部３４１の末端部から、前記高低調節具３２０の下部に露出した前記アンカーボルトＡ側に折り曲げられる折曲部３４２と、前記アンカーボルトＡの螺旋部Ａ１、Ａ２に接触して固定支持されように前記折曲部３４２の末端に設けられた接触部３４３とからなり、前記アンカーボルトＡ側に弾性力を発揮する弾性片３４０がさらに設置されることが好ましい。
【００１６】
また、前記高低調節具３２０は、円筒状または三角以上の角柱状のうちいずれかの形状を有し、その中心部には前記アンカーボルトＡの貫通する貫通孔３２１が長さ方向に沿って設けられることが好ましい。
【００１７】
また、前記高低調節具３２０は、中心部に長さ方向に沿って前記アンカーボルトＡが貫くように穿設された貫通孔３２１の内周面に前記アンカーボルトＡの螺旋部Ａ１、Ａ２と螺合可能に形成された螺旋固定部３２２と、一側が長さ方向に沿って切開され、その切開された両端部に互いに対応する大きさで対向位置するように延設され、前記固定部材３３０によって結合固定される固定孔３２４を有する連結固定部３２３と、前記連結固定部３２３にヒンジ軸３２６を中心に弾性支持されて回動可能に結合された一側が設置され、前記連結固定部３２３が互いに近づく方向に弾性力を発揮し、その回動可能に結合された他側を加圧するにつれて前記連結固定部３２３が互いに遠ざかる弾性拡張部３２５と、を含んで構成されることが好ましい。
【００１８】
また、前記固定部材３３０は、前記高低調節具３２０の一側に前記アンカーボルトＡに向かって螺合され、その螺合された端面が前記アンカーボルトＡの外面を加圧固定するボルト部３３１と、前記ボルト部３３１が螺合される反対側の端部に回転力を加えるハンドル部３３２とからなり、前記連結ブラケット３１０は、前記弾性部材４００の一側端部が連結設置されるスプリング連結ホール３１１を有し、「Ｌ」字状となることが好ましい。
【００１９】
また、前記支持ブラケット２００と連結ブラケット３１０には両端がそれぞれ連結固定され、前記照明手段１００が前記アンカーボルトＡに連結設置された状態で前記天井パネルＰから離脱して墜落することを防止する離脱防止ワイヤー５００が設置されることが好ましい。
【００２０】
また、前記支持ブラケット２００は、前記照明手段１００の上側に縦方向に設置される側辺支持部２２０を中心に下部と上部を一部折り曲げて照明固定部２１０とスプリング固定部２３０を形成するが、前記照明固定部２１０には照明固定ホール２１１が穿設され、前記スプリング固定部２３０にはスプリング固定ホール２３１が穿設されることが好ましい。
【００２１】
また、前記支持ブラケット２００は、スプリング結合ホール２４１を有するスプリング結合部２４０と、前記スプリング結合部２４０を中心に両側から下方に延設されるコーナー支持部２５０とをそれぞれ備え、そのそれぞれのコーナー支持部２５０の下部を一部折り曲げて照明結合ホール２６１付き照明結合部２６０を形成してなることが好ましい。
【００２２】
また、前記支持ブラケット２００は、照明設置ホール２７２を有する水平部２７１から上方に、一つ以上の挿入ホール２７４を有する垂直部２７３が延設されてなる下部ブラケット２７０と、スプリング設置ホール２８２を有する密着固定部２８１が前記垂直部２７３の一面に密着して固定されるように、前記挿入ホール２７４に緊密に挿入される挿入突起２８３が突設された上部ブラケット２８０とを含んでなることが好ましい。
【発明の効果】
【００２３】
上述したように、本発明に係る天井用照明装置の設置構造は、 天井スラブに設置されたアンカーボルトの長さまたは傾斜程度に関係なく、照明装置の設置及び分離を迅速かつ簡便に行うことができて施工時間の節減及び施工の利便性の増大を図ることができ、設置済みの状態では照明装置が天井パネルに密着した状態で均一な間隔と方向に設置できるため美感の向上だけでなく、異物の照明装置内への流入を防止することができ、照明装置の設置のための部品の大きさ及び個数を減らして運搬及び保管の利便性の増大と製造コストの削減を図ることができるという効果がある。
【図面の簡単な説明】
【００２４】
【図１】従来の照明灯設置構造を示す分離斜視図である。
【図２】本発明の一実施形態に係る天井用照明装置の設置構造を示す斜視図である。
【図３】図１の分解斜視図である。
【図４】図１の底面斜視図である。
【図５ａ】本発明の一実施形態に係る支持ブラケットを抜粋して示す斜視図である。
【図５ｂ】本発明の他の実施形態に係る支持ブラケットを抜粋して示す斜視図である。
【図５ｃ】本発明の別の実施形態に係る支持ブラケットを抜粋して示す斜視図及び分離斜視図である。
【図６ａ】本発明の一実施形態に係る高さ調節手段を抜粋して示す斜視図である。
【図６ｂ】図５ａによる高さ調節手段がアンカーボルトに結合された状態を抜粋して示す側断面図である。
【図７ａ】図５ａによる高さ調節手段に弾性片がさらに備えられた状態を抜粋して示す斜視図である。
【図７ｂ】図６ａによる高さ調節手段がアンカーボルトに結合された状態を抜粋して示す底面斜視図である。
【図８】本発明の一実施形態に係る弾性部材が高さ調節手段と支持ブラケットに連結設置された状態を抜粋して示す斜視図である。
【図９】本発明の一実施形態に係る照明手段が支持ブラケット、弾性部材、高さ調節手段を介して天井パネルに設置される過程を示す側面概略図である。
【図１０】本発明の一実施形態によってさらに備えられた離脱防止ワイヤーが高さ調節手段と支持ブラケットに連結設置された状態を抜粋して示す斜視図である。
【図１１】本発明の一実施形態に係る照明手段が、離脱防止ワイヤーがさらに備えられた状態で天井パネルに設置される過程を示す側面概略図である。
【図１２】本発明の他の実施形態に係る照明手段が、離脱防止ワイヤーがさらに備えられた状態で天井パネルに設置される過程を示す側面概略図である。
【図１３】本発明の他の実施形態に係るアンカーボルトに結合される高さ調節手段を示す分離斜視図である。
【発明を実施するための形態】
【００２５】
説明に先立ち、様々な実施形態において、同一の構成を有する構成要素については同一の符号を用いて代表的に一実施形態で説明し、その他の実施形態では一実施形態と異なる構成について説明する。
【００２６】
以下、図２乃至図１２を参照して、本発明の一実施形態による天井用照明装置の設置構造について詳細に説明する。
【００２７】
本発明の一実施形態に係る天井用照明装置の設置構造による天井Ｃには所定の間隔で複数のアンカーボルトＡが設置され、天井Ｃの下側には天井パネルＰが離隔して設置され、天井パネルＰにはアンカーボルトＡの下側に照明手段設置空間Ｃが設けられる。
【００２８】
本発明の一実施形態に係る照明手段１００は、前述した照明手段設置空間Ｃを閉止するように設置され、天井パネルＰの下方に照明を提供するもので、通常の照明装置と同様に、照明フレーム１１０と、該照明フレーム１１０の末端部を相互連結して所定の形状をなすようにするフレーム連結具１２０と、照明フレーム１１０の内側面に設置されるか或いは照明フレーム１１０の上側に設置され、電源が印加されることにより点灯する照明モジュール（図示せず）と、照明フレーム１１０によって形成された照明空間の開口した上部をカバーするように設置される上部閉止部材１３０と、照明フレーム１１０によって形成された照明空間の開口した下部をカバーするように設置され、照明モジュールによる照明が下方にまんべんなく拡散して明るく照らすようにする下部カバーシート１４０とを含んでなる。このような照明手段１００は円形、楕円形、または三角以上の多角形に形成でき、本実施形態に係る照明手段１００は四角形の形状とする。
【００２９】
支持ブラケット２００は、照明手段設置空間Ｃの周面に外側面が密着するように照明手段１００の上面枠部に締結部材Ｂを介して分解結合可能に設置されるものである。このような支持ブラケット２００は、照明フレーム１１０それぞれの側辺に設置されるか、或いは互いに反対される位置の両側コーナー部またはそれぞれのコーナーに設置されるか、或いは側辺及びコーナーに設置され得る。支持ブラケットは、照明手段１００の大きさ及び重さに応じて一つまたは２つ以上が設置でき、照明フレーム１１０に設置される位置に応じて様々な形状のものが設置できる。
【００３０】
前述した支持ブラケット２００は、図５ａに示すように、照明手段１００の上側に縦方向に設置される側辺支持部２２０を中心に下部及び上部を一部折り曲げて照明固定部２１０とスプリング固定部２３０を形成するが、照明固定部２１０には、締結部材Ｂが挿入されて結合される照明固定ホール２１１が設けられ、スプリング固定部２３０には、後述する弾性部材４００の一側端部が連結固定されるスプリング固定ホール２３１が設けられたものでありうる。このような支持ブラケット２００は、照明フレーム１１０の各側辺ごとに１つ以上が設置されることが好ましく、これにより、各支持ブラケット２００の側辺支持部２２０が照明手段設置空間Ｃの周面に密着して照明手段１００が天井パネルＰの下部で任意に遊動しないようにすることができる。
【００３１】
また、支持ブラケット２００は、図５ｂに示すように、後述する弾性部材４００の一側端部が連結固定されるスプリング結合ホール２４１を有するスプリング結合部２４０と、スプリング結合部２４０を中心に両側から下方に延設されるコーナー支持部２５０とをそれぞれ備え、そのそれぞれのコーナー支持部２５０の下部を一部折り曲げることで、締結部材Ｂの挿入される照明結合ホール２６１が設けられて照明フレーム１１０に結合される照明結合部２６０を形成して構成できる。このような支持ブラケット２００は、照明フレーム１１０のコーナー部に少なくとも２つが対向するように或いは反対側に位置するように設置されることが好ましい。これにより、各支持ブラケット２００のコーナー支持部２５０が照明手段設置空間Ｃの互いに連結されるそれぞれの周面に密着して照明手段１００が天井パネルＰの下部で任意に遊動しないようにできるのはもちろんのこと、照明フレーム１１０の側辺に設置する場合より設置箇所を減らしながらも、それぞれのコーナー支持部２５０によって照明手段設置空間Ｓの各周面が支持されるようにすることができるため、迅速かつ効率的な設置が可能である。
【００３２】
これに加えて、支持ブラケット２００は、図５ａおよび図５ｂに示すように一体に形成される以外にも、図５ｃに示すように、相互分解結合可能に設けられた下部ブラケット２７０と上部ブラケット２８０から構成されてもよい。
【００３３】
ここで、下部ブラケット２７０は、締結部材Ｂが挿入されて固定されるように照明設置ホール２７２を有する水平部２７１と、この水平部２７１から上方に延設され、一つ以上の挿入ホール２７４を有する垂直部２７３とからなり、上部ブラケット２８０は、後述する弾性部材４００の一側端部が連結設置されるスプリング設置ホール２８２を有する密着固定部２８１が垂直部２７３の一面に密着して固定されるように、挿入ホール２７４に緊密に挿入される挿入突起２８３が突設されたものであってもよい。
【００３４】
このとき、下部ブラケット２７０と上部ブラケット２８０が緊密かつ堅固に結合されるのはもちろんのこと、結合された状態で任意に分離されないようにするために、密着固定部２８１と挿入突起２８３とが連結される部分に水平部２７１の厚さと対応する幅で陥没した係止溝２８４を形成し、挿入突起２８３が挿入ホール２７４に挿入された状態で係止溝２８４に係止されるようにするか、或いは挿入突起２８３を挿入ホール２７４に挿入した後、挿入突起２８３を捩じったり折ったりして、挿入ホール２７４に挿入された状態で離脱しないように固定させることもできる。
【００３５】
このような下部ブラケット２７０を構成する水平部２７１と垂直部２７３は、必ずしも水平または垂直に設置されなければならないのではなく、一定の傾斜角度で傾くように形成されてもよい。水平部２７１と垂直部２７３は、一体に形成されて「Ｌ」字状を有するものと図示したが、これとは異なり、逆「Ｔ」字状に形成されてもよい。挿入ホール２７４も垂直部２７３の両側に設けられるものと図示したが、これとは異なり、中央部に１つが設けられてもよく、中央部及び両側に全て設けられてもよい。
【００３６】
図５ｃに示すように、支持フレーム２００を下部ブラケット２７０と上部ブラケット２８０から構成して分離／結合可能に形成させた理由は、下部ブラケット２７０を設置した状態でも照明手段１００と一緒に包装して保管及び運搬を容易にすることができ、照明手段１００を天井パネルＰに設置するときにも、上部ブラケット２８０を下部ブラケット２７０に簡便に結合して照明手段設置空間Ｃの周面に支持されるように設置するためであり、これにより、作業現場で支持ブラケット２００を照明フレーム１１０に固定設置することにかかる時間を減らして作業の効率性を増大させるためである。この際、下部ブラケット２７０の端面は、照明フレーム１１０の上端面より上方に突出しないように形成されることが好ましい。
【００３７】
本実施形態に係る支持ブラケット２００は、図５ａのような形状をして、照明フレーム１１０の上面枠部それぞれの側辺に設置されるものと説明及び図示する。
【００３８】
高さ調節手段３００は、図６ａ及び図６ｂに示すように、アンカーボルトＡに高さ調節可能に嵌められる高低調節具３２０と、高低調節具３２０の一側にアンカーボルトＡの外面を加圧するように設置され、高低調節具３２０をアンカーボルトＡに固定させる固定部材３３０と、高低調節具３２０の一側に設置される連結ブラケット３１０とから構成されることが好ましく、このような高さ調節手段３００を介して、アンカーボルトＡに嵌められる高さを容易に調節しながらも、その調節された高さでは固定部材３３０を用いて端面がアンカーボルトＡの外面を加圧するように固定することにより、高低調節具３２０がアンカーボルトＡに所定の高さで堅固に固定できるのである。
【００３９】
ここで、高低調節具３２０は、円筒形または三角以上の角柱形のうちいずれかの形状をし、中心部には前記アンカーボルトＡの貫通する貫通孔３２１が長さ方向に沿って設けられたことが好ましく、固定部材３３０は、高低調節具３２０にアンカーボルトＡを向いて貫通するように螺合され、その螺合された一側端面がアンカーボルトＡの外面を加圧固定するボルト部３３１と、ボルト部３３１の他側端部に設置され、回転力を加えるハンドル部３３１とを含んでなることが好ましく、連結ブラケット３１０は、弾性部材４００の他側端部が連結設置されるスプリング連結ホール３１１を有し、「Ｌ」字状からなることが好ましい。
【００４０】
この際、高低調節具３２０の外面一側には、図７ａ及び図７ｂに示すように、アンカーボルトＡ側に弾性力を発揮する弾性片３４０がさらに設置できる。このような弾性片３４０は、上部が固定され、下端部が高低調節具３２０の下端よりも下側に位置する弾性部３４１と、弾性部３４１の端部から、高低調節具３２０の下部に露出したアンカーボルトＡ側に折り曲げられる折曲部３４２と、アンカーボルトＡの螺旋部Ａ１、Ａ２に接触して固定支持されるように折曲部３４２の末端部に設けられた接触部３４３とからなることが好ましい。
【００４１】
このときの接触部３４３は、アンカーボルトＡの螺旋部Ａ１、Ａ２に係止されて固定支持されるように、アンカーボルトＡの螺旋部Ａ１、Ａ２の傾きと対応する角度で傾設されることが好ましく、これに加えて、アンカーボルトＡの螺旋部Ａ１、Ａ２に接触する面積を広めて堅固に固定できるように凹状に形成されることが好ましく、このような凹状は、角ばっている形状、屈曲のある形状、或いはアンカーボルトＡの直径に対応する弧状に形成できる。
【００４２】
このような弾性片３４０は、アンカーボルトＡ側に弾性力が加わるように設置されるものであるから、高低調節具３２０がアンカーボルトＡに沿って上方に移動する間、接触部３４３がアンカーボルトＡのねじ溝Ａ１とねじ山Ａ２に交互に密着し、高低調節具３２０が所定の高さに移動した状態では、接触部３４３がアンカーボルトＡのねじ溝Ａ１に嵌め込まれて固定されるのである。このように弾性片３４０によって高低調節具３２０が固定された状態では、固定部材３３０でアンカーボルトＡの外面を加圧していない状態でも高低調節具３２０がアンカーボルトＡに固定された状態を維持することができるから、高低調節具３２０がアンカーボルトＡに対して所定の高さに調節されるたびに、固定部材３３０を繰り返し締めたり緩めたりしなくてもよいため、高低調節具３２０の高さ調節を容易に行うことができ、固定部材３３０がアンカーボルトＡの外面に固定されるようにしたり固定された状態を解除したりする場合にも迅速かつ簡便に締めたり緩めたりすることができるという利点がある。
【００４３】
ここで、高さ調節手段３００は、連結ブラケット３１０、高低調節具３２０及び固定部材３３０から構成されてもよく、弾性片３４０をさらに備えて構成されてもよいが、高低調節具３２０がアンカーボルトＡに対して迅速かつ簡便に高さ調節されて固定された状態を維持しながら、より堅固な固定状態を維持するためには、連結ブラケット３１０、高低調節具３２０、固定部材３３０及び弾性片３４０が全て備えられることが好ましく、本実施形態によって、以下では高さ調節手段３００が連結ブラケット３１０、高低調節具３２０、固定部材３３０及び弾性片３４０が全て備えられたものと説明及び図示する。
【００４４】
弾性部材４００は、図８に示すように、支持ブラケット２００と連結ブラケット３１０に両端部がそれぞれ連結設置され、照明手段１００が天井パネルＰの下面に弾性力によって密着するように設けられたものである。このような弾性部材４００は、従来のコイルスプリングを使用することが好ましい。また、弾性部材４００の両端部には、支持ブラケット２００のスプリング固定ホール２３１及び連結ブラケット３１０のスプリング連結ホール３１１に迅速かつ簡便に結合しながらも堅固な結合状態を維持することができるようにするために、フック状の連結フック４１０が設けられることが好ましい。
【００４５】
しかし、支持ブラケット２００と連結ブラケット３１０に弾性部材４００を連結設置する方法がこれに限定されるものではなく、公知の結束具（図示せず）を介して弾性部材４００の両端部を連結設置するか、或いは、弾性部材４００の一側端部は支持ブラケット２００及び連結ブラケット３１０のいずれか一方に溶接などで固定し、他側端部は連結フック４１０を介していずれか他方に連結設置することができる。
【００４６】
図９を参照して、上述の構成によって照明手段１００が天井パネルＰに設置される過程について説明すると、照明手段１００を天井パネルＰに設置するに先立ち、図５ａの形状に設けられた支持フレーム２００を、四角状に設けられた照明フレーム１１０の上面枠部それぞれの側辺に一つずつ設置することができるように４つ備え、高さ調節手段３００はそれぞれのアンカーボルトＡに固定設置することができるように２つ備えて、弾性部材４００の両端部に設けられた連結フック４１０を用いて支持フレーム２００のスプリング固定ホール２３１と連結ブラケット３１０のスプリング連結ホール３１１が連結されるように固定設置する。
【００４７】
このとき、二つの高さ調節手段３００にそれぞれ連結設置される弾性部材４００は、そのそれぞれの一側端部が、照明フレーム１１０の両側辺に設置された支持フレーム２００と連結されるように設置されれば済むが、照明手段１００の大きさ及び重さを考慮して、照明フレーム１１０に設置された四つの支持ブラケット２００のうちいずれか２つを一つの高さ調節手段３００にそれぞれ連結固定されるように設置することもできる。
【００４８】
その後、支持ブラケット２００、高さ調節手段３００及び弾性部材４００が結合された照明手段１００を照明手段設置空間Ｃ側に運搬し、一側の支持ブラケット２００と弾性部材４００を介して連結固定された高低調節具３２０を、その一側の支持ブラケット２００と隣接した位置のアンカーボルトＡに嵌めた後、アンカーボルトＡに沿って所定の高さに押し上げると、弾性片３４０によって設定された高さで固定され、しかる後に、固定部材３３０を用いて再びアンカーボルトＡの外周面を加圧することにより、高低調節具３２０がアンカーボルトＡに堅固に固定されるようにする。
【００４９】
ここで、照明手段１００は、弾性部材４００によって連結された状態にあるので、高低調節具３２０をアンカーボルトＡに固定されるように設置する間には、弾性部材４００を引いたり押したりして伸びるようにした後、作業者の腕または胴体を照明手段１００と天井パネルＰとの間で照明手段設置空間Ｃの間に位置させて設置作業を行うことができる。
【００５０】
このように一側のアンカーボルトＡに対する高さ調節手段３００の設置作業が完了して弾性部材４００が伸びるように加えた力を解除すると、弾性部材４００の復元力によって照明フレーム１１０の一側上端面が天井パネルＰの下面に密着した状態を維持することになる。
【００５１】
前述のように一側の照明フレーム１１０が天井パネルＰに密着するように設置したのと同様の方法で、他側の支持ブラケット２００と弾性部材４００を介して連結固定された高さ調節手段３００をその他側の支持ブラケット２００と隣接した位置のアンカーボルトＡに設置すると、照明手段１００の設置が完了し、照明手段設置空間Ｃは照明手段１００によって閉止されるのである。
【００５２】
この際、アンカーボルトＡには高さ調節手段３００が設置されており、この高さ調節手段３００と照明手段１００は弾性部材４００を介して連結設置されている。このときには弾性部材４００の復元力により照明手段１００を天井Ｃ側に引っぱる力が作用するので、照明フレーム１１０の上面が天井パネルＰの下面に等しく密着した状態を維持することができるのである。
【００５３】
ここで、支持ブラケット２００は、図５ａの形状をして、照明フレーム１１０の４つの側辺にそれぞれ設置されるものと説明したが、図５ｂの形状をして、照明フレーム１１０の互いに対向する或いは反対側に該当するコーナー部分に設置されてもよく、図５ｃの如く上下分離結合可能に構成されて設置されてもよい。また、照明フレーム１１０にも、照明手段１００の大きさ及び重さに応じてそれぞれの側辺に支持ブラケットを２つ以上設置するか或いは四つのコーナーにそれぞれ設置して、この多数の支持フレーム２００と隣接した位置の高さ調節手段３００によって弾性部材４００をそれぞれ区分して連結設置することができるのである。
【００５４】
本一実施形態では、照明手段１００を設置するにあたり、いずれか一側のアンカーボルトＡに高さ調節手段３００の設置を完了した後、他側のアンカーボルトＡに高さ調節手段３００を設置するものと説明したが、これとは異なり、弾性部材４００を介して照明フレーム１１０の両側に連結設置されたそれぞれの高さ調節手段３００を両側のアンカーボルトＡに全て結合した状態で、弾性部材４００が伸縮するように力を加えたり加えた力を解除したりして設置することもできる。
【００５５】
このように、高さ調節手段３００がアンカーボルトＡに挿入さえできれば、ボルト固定部３３０及び弾性固定部３４０を介して固定された状態を維持して、照明手段１００が天井パネルＰに密着するように設置された状態を維持することができるので、アンカーボルトＡが天井Ｃに設置される間隔が不規則であるか或いはアンカーボルトＡが傾いた状態で設置されていても、照明手段１００に固定設置される支持フレーム２００と、アンカーボルトＡに固定設置される高さ調節手段３００と、支持フレーム２００と高さ調節手段３００とを連結する弾性部材４００を介して迅速にかつ簡便に照明手段１００の設置が可能である。
【００５６】
一方、図１０に示すように、本発明の一実施形態に係る天井用照明装置の設置構造は、照明手段１００がアンカーボルトＡに連結設置された状態で天井パネルＰから任意に離脱して墜落するのを防止するために、支持ブラケット２００と連結ブラケット３１０に両端がそれぞれ連結固定される離脱防止ワイヤー５００をさらに含んで構成できる。
【００５７】
ここで、離脱防止ワイヤー５００の長さは、天井パネルＰとアンカーボルトＡとの距離やアンカーボルトＡと支持フレーム２００との距離などを考慮して照明手段１００を設置する間に便利な作業を行うことができながらも、照明手段１００が設置完了した状態では照明手段１００が天井パネルＰから全く離脱しない適正の長さに形成されなければならない。
【００５８】
この際、離脱防止ワイヤー５００は、弾性部材４００に軸方向に沿って挿入されて設置されることが好ましいが、これは弾性部材４００が離脱防止ワイヤー５００によって伸縮する方向が案内されるようにするためである。
【００５９】
また、支持ブラケット２００には、離脱防止ワイヤー５００の一側端部を連結固定するためのワイヤー固定ホール２３２が設けられ、このスプリング固定ホール２３１とワイヤー固定ホール２３２に離脱防止ワイヤーが挿入された状態で連結クリップ５１０によって固定できるが、これは、離脱防止ワイヤー５００が支持ブラケット２００にさらに堅固に固定されるようにしながらも、スプリング固定ホール２３１に結合された弾性部材４００が伸縮する間に離脱防止ワイヤー５００によって安定的に案内されるようにするためである。
【００６０】
これに加えて、連結ブラケット３１０にも離脱防止ワイヤー５００を安定的に固定しながら、弾性部材４００が離脱防止ワイヤー５００によって案内されて伸縮するようにするためのワイヤー連結ホール（図示せず）を別途備えることができる。
【００６１】
しかし、前述した離脱防止ワイヤー５００は必ずしも弾性部材４００に軸方向に沿って挿入されて設置されなければならないのではなく、離脱防止ワイヤー５００が弾性部材４００の外側に位置するようにした状態で、弾性部材４００の両端部はスプリング固定ホール２３１とスプリング連結ホール３１１にそれぞれ連結固定し、離脱防止ワイヤー５００の両端部はワイヤー固定ホール２３２とワイヤー連結ホールにそれぞれ連結固定することもできる。
【００６２】
言い換えれば、弾性部材４００が伸縮する間にその伸縮方向が離脱防止ワイヤー５００によって案内されないものに過ぎず、弾性部材４００の弾性力によって照明手段１００を天井Ｃ側に引いて天井パネルＰの下面に密着するようにし、離脱防止ワイヤー５００によって照明手段１００が天井パネルＰから離脱して墜落するのを防止することに影響を及ぼすものではない。
【００６３】
以下、図１１を参照して、離脱防止ワイヤー５００がさらに備えられた状態で照明手段１００が天井パネルＰに設置される過程について説明する。まず、四角状に設けられた照明フレーム１１０の上面枠部には４つの側辺にそれぞれ一つずつ設置されるように四つが備えられ、高さ調節手段３００は、照明手段１００の上側に備えられたアンカーボルトＡと対応するように二つが備えられる。ここで、図５ｂのように支持ブラケット２００が照明フレーム１１０のコーナーに設置される場合には、照明フレーム１１０の互いに反対される位置の両側コーナーに２つが設置されてもよく、四つのコーナーにすべて設置されてもよい。
【００６４】
その後、支持フレーム２００を照明フレーム１１０の上面枠部の両側にそれぞれ設置すると、弾性部材４００の軸方向に沿って離脱防止ワイヤー５００を挿入した状態で、離脱防止ワイヤー５００の一側端部は、照明フレーム１１０に設置された支持ブラケット２００のうち互いに対向する両側に設置された支持ブラケット２００のワイヤー固定ホール２３２に連結設置し、離脱防止ワイヤー５００の他側端部は二つの高さ調節手段３００にそれぞれ備えられた連結ブラケット３１０のスプリング連結ホール３１１にそれぞれ連結設置して連結クリップ５１０によって固定することにより、支持フレーム２００と高さ調節手段３００が離脱防止ワイヤー５００によって相互連結された状態となるようにする。
【００６５】
ここで、弾性部材４００は、離脱防止ワイヤー５００が弾性部材４００の軸方向に沿って内部に挿入された状態で、一側端部のみがスプリング連結ホール３１１に連結固定されるように設置する。
【００６６】
次に、支持ブラケット２００、高さ調節手段３００、弾性部材４００および離脱防止ワイヤー５００が設置された状態の照明手段１００を照明手段設置空間Ｃ側に運搬して、支持ブラケット２００と離脱防止ワイヤー５００を介して、照明フレーム１１０の両側に連結設置された高さ調節手段３００を両側のアンカーボルトＡにそれぞれ嵌めて弾性片３４０によって固定されるようにすることにより、照明手段１００が高さ調節手段３００および離脱防止ワイヤー５００によってアンカーボルトＡに吊られた状態となるようにする。
【００６７】
その後、一側のアンカーボルトＡに嵌められた高低調節具３２０を天井Ｃ側に押し上げ、押し上げられた状態では高低調節具３２０がアンカーボルトＡに堅固に固定されるように固定部材３３０の端面がアンカーボルトＡの外周面を加圧するように回転させ、高低調節具３２０をアンカーボルトＡに堅固に固定させた後は、連結ブラケット３１０に一側端部が連結固定されている弾性部材４００の他側端部を引っ張ってスプリング固定ホール２３１に固定されるように連結設置する。
【００６８】
このように弾性部材４００の両端部が支持ブラケット２００および連結ブラケット３１０にそれぞれ連結固定されるように設置すると、照明フレーム１１０の一側上端面は弾性部材４００の復元力によって天井パネルＰの下面に密着する。
【００６９】
前述したような方法で他側のアンカーボルトＡに嵌められた高低調節具３２０を固定させ、弾性部材４００によって支持ブラケット２００と連結ブラケット３１０とが連結固定されるように設置すれば、照明フレーム１１０の他側上端面が弾性部材４００の復元力によって天井パネルＰの下面に密着することにより、照明フレーム１１０の上端面全体が天井パネルＰの下面に等しく密着した状態となる。
【００７０】
このように、照明手段１００は、弾性部材４００によって天井パネルＰに等しく密着した状態が維持されるのはもちろんのこと、天井パネルＰに密着するように設置された状態で振動や衝撃などが加わっても、離脱防止ワイヤー５００によってアンカーボルトＡに吊られた状態を維持するので、照明手段１００が天井パネルＰから離脱して墜落するのを防止することができる。
【００７１】
この際、離脱防止ワイヤー５００がさらに備えられた照明手段１００は、図１２に示すように、いずれか一側のアンカーボルトＡに離脱防止ワイヤー５００を介して連結された状態の高さ調節手段３００を所定の高さに固定設置し、高さ調節手段３００に一側端部が連結された弾性部材４００の他側端部を照明フレーム１１０の一側辺に設置された支持ブラケット２００に設置して、照明フレーム１１０の一側上端面が照明パネルＰの下面に密着するようにした後、これと同様の方法で他側のアンカーボルトＡに高さ調節手段３００および弾性部材４００を設置することもできる。
【００７２】
ここで、照明手段１００とアンカーボルトＡが弾性部材４００及び離脱防止ワイヤー５００に連結されるように設置された状態で、弾性部材４００が伸張するように力を加えると、照明手段１００は天井パネルＰから離隔した状態となり、この状態では作業者が腕または胴体を照明手段設置空間Ｃに位置させることができるので、高低調節具３２０を天井Ｃ側に押し上げるか、或いはアンカーボルトＡに沿って押し上げられた高低調節具３２０が固定部材３３０によって堅固に固定されるようにするなどの作業を行うことができるのはもちろんのこと、照明手段１００の上端面が天井パネルＰの下面に等しく密着した状態を維持することができ、離脱防止ワイヤー５００を介してアンカーボルトＡに吊られている照明手段１００が天井パネルＰから離脱して墜落するのを防止することができる。
【００７３】
上述したように、本発明の一実施形態に係る天井用照明装置の設置構造は、天井スラブに設置されたアンカーボルトの長さまたは傾斜程度に関係なく、照明手段の設置及び分離を迅速かつ簡便に行うことができるため、施工時間の節減及び施工の利便性の増大を図ることができ、設置完了状態では照明手段が天井パネルに密着した状態で均一な間隔と方向に設置できるため美感を向上させるだけでなく、照明手段内への異物の流入を防止し、照明装置の設置のための部品の大きさ及び個数を減らして運搬及び保管の利便性の増大と製造コストの削減を図ることができるという効果がある。
【００７４】
以下、図１３を参照して、本発明の他の実施形態に係る天井用照明装置の設置構造による高さ調節手段について説明する。
【００７５】
本発明の他の実施形態に係る高さ調節手段３００は、高低調節具３２０、固定部材３３０及び連結ブラケット３１０から構成されるとともに、前述した高低調節具３２０に、中心部にアンカーボルトＡが嵌められて結合されるように長さ方向に沿って穿設された貫通孔３２１の他にも、螺旋固定部３２２、連結固定部３２３及び弾性拡張部３２５がさらに形成されたものである点において、本発明の一実施形態とは相違点がある。
【００７６】
このような螺旋固定部３２２は、貫通孔３２１の内周面にアンカーボルトＡの螺旋部Ａ１、Ａ２と螺合されるように形成されたものであり、連結固定部３２３は、高低調節具３２０の一側に長さ方向に沿って切開された両端部に互いに対応する大きさで対向位置するように延設されたものである。このような連結固定部３２３には、固定部材３３０によって結合される固定孔３２４が一つ以上穿設される。
【００７７】
また、弾性拡張部３２５は、ヒンジ軸３２６を中心に弾性支持され回動自在に結合された第１回動片３２７ａ及び第２回動片３２７ｂの一側が設置されて連結固定部３２３が互いに近づく方向に弾性力を発揮し、第１回動片３２７ａ及び第２回動片３２７ｂの他側を加圧するにつれて連結固定部３２３が互いに遠ざかる方向に力が加わるように形成されたものである。このときの第１回動片３２７ａ及び第２回動片３２７ｂは、スプリングなどの弾性体によって弾性支持されるように形成されたものである。
【００７８】
ここで、高低調節具３２０は、弾性拡張部３２５によって十分に連結固定部３２３が拡開して貫通孔３２１の直径が拡張された後、再び元に復元できるほどの厚さと材質で形成され、連結固定部３２３は、弾性拡張部３２５によって拡開する力が加わっても変形しない厚さに形成されることが好ましい。
【００７９】
このとき、連結固定部３２３と弾性拡張部３２５が相互に結合される位置には回動連結部３２８を備えて、連結固定部３２３が相互に遠ざかるか近づく間に回動連結部３２８によって弾性拡張部３２５が回動し、容易に動作するようにすることができる。このような回動連結部３２８は、連結固定部３２３または弾性拡張部３２５のいずれかの端部に設けられた嵌合ホール３２８ａと、この嵌合ホール３２８に回動自在に嵌合されるようにもう一つの端部に設けられた嵌合突起３２８ｂとからなることが好ましい。
【００８０】
図１３には連結固定部３２３が互いに対向する面に上下に嵌合ホール３２８ａが設けられ、第１回動片３２７ａ及び第２回動片３２７ｂの一側端部に嵌合ホール３２８ａと対応する位置に嵌合突起３２８ｂが設けられたものと図示したが、これとは異なり、嵌合ホール３２８ａは連結固定部３２３の端面または対向する反対側の面に設けられてもよく、弾性拡張部３２５に設けられてもよい。このときの嵌合突起３２８ｂは、このような嵌合ホール３２８に回動自在に嵌合できる位置に設けられるべきである。
【００８１】
前述のように設けられた高低調節具３２０がアンカーボルトＡに設置される過程を考察すると、弾性拡張部３２５の他側、すなわち連結固定部３２３と結合されていない第１回動片３２７ａと第２回動片３２７ｂの他側を加圧するにつれて連結固定部３２３が互いに遠ざかって貫通孔３２１の直径がアンカーボルトＡの直径よりも大きくなるが、この際には、螺旋固定部３２２がアンカーボルトＡの螺旋部Ａ１、Ａ２に干渉しなくなるので、高低調節具３２０がアンカーボルトＡに嵌められた状態で容易に高さ調節できるのである。
【００８２】
高低調節具３２０をアンカーボルトＡに嵌めて所定の高さに移動させた後、第１回動片３２７ａと第２回動片３２７ｂの他側に加えられた力を解除すると、貫通孔３２１の直径が元に復元して螺旋固定部３２２がアンカーボルトＡの螺旋部Ａ１、Ａ２に螺合された状態で固定できるものである。連結固定部３２３は、弾性拡張部３２５の弾性力によって互いに近付こうとする力が作用することになり、螺旋固定部３２２がアンカーボルトＡの螺旋部Ａ１、Ａ２から任意に離脱することが防止できる。
【００８３】
このように、螺旋固定部３２２によって高低調節具３２０がアンカーボルトＡに固定された状態になると、固定孔３２４に固定部材３３０を挿入してそれぞれの連結固定部３２３が固定部材３３０によって相互結合固定された状態となるようにすると、高低調節具３２０がアンカーボルトＡにさらに安定的かつ堅固に固定された状態となれるのである。
【００８４】
本発明の権利範囲は、上述した実施形態に限定されるものではなく、添付された請求の範囲内で多様な形態の実施形態で実現できる。請求の範囲で請求する本発明の要旨を逸脱することなく、当該発明の属する技術分野における通常の知識を有する者であれば、誰でも変形可能な多様な範囲までも本発明の請求の範囲に記載された範囲内にあるものと理解すべきである。
【図１】
0006410114.tif 000002
【図２】
0006410114.tif 000003
【図３】
0006410114.tif 000004
【図４】
0006410114.tif 000005
【図５ａ】
0006410114.tif 000006
【図５ｂ】
0006410114.tif 000007
【図５ｃ】
0006410114.tif 000008
【図６ａ】
0006410114.tif 000009
【図６ｂ】
0006410114.tif 000010
【図７ａ】
0006410114.tif 000011
【図７ｂ】
0006410114.tif 000012
【図８】
0006410114.tif 000013
【図９】
0006410114.tif 000014
【図１０】
0006410114.tif 000015
【図１１】
0006410114.tif 000016
【図１２】
0006410114.tif 000017
【図１３】
0006410114.tif 000018